(57)【要約】【課題】複数本連結される柱状体を利用しても、強度が高く、地震に強い耐力壁を提供すること。【解決手段】木造家屋において、土台７と桁８との間に複数本の柱状体１を結合連結させて取り付ける。即ち、図１において、右の柱状体１の左側面１Ｂのほぞ３Ａを、左の柱状体１の右側面１Ａに形成されたほぞ溝２に嵌合させて左右の柱状体１同志を結合連結する。以下、同様に、左右の柱状体１同志を結合連結したら、次に右の柱状体１の右側面１Ａのほぞ溝２に３本目の柱状体１の左側面１Ｂのほぞ３Ｂを嵌合させ、更にこの３本目の柱状体１の右側面１Ａのほぞ溝２に４本目の柱状体１の左側面１Ｂのほぞ３Ａを嵌合させるようにして、逐次各柱状体１を結合連結し、次々に、前後が互い違いになるように各柱状体１を結合連結する。次いで、室内側に突出している４つの柱状体１群を取り付け溝５に嵌合させて、耐力壁を組み立て、土台７と桁８に面材４を釘などで固定する。【選択図】図６
2014231674.tif 000002
【特許請求の範囲】
【請求項１】
木造家屋における土台及び桁とに取り付けられる耐力壁において、木材で作製された柱状体の対向する両側面の中間位置にほぞ溝を形成すると共にこのほぞ溝を挟んで両側にほぞを形成して、一の柱状体の一方の面に形成された前記ほぞ溝に他の柱状体の他方の面に形成された一方のほぞを嵌合させ、この他の柱状体の一方の面に形成された前記ほぞ溝に次の他の柱状体の他方の面に形成された他方のほぞを嵌合させるようにして、次々に前記柱状体群を互い違いとなるように連結するようにして前記土台及び前記桁に取り付けると共に、前記柱状体群のうち室内側に交互に突出した複数本の前記柱状体が所定間隔を存して開設された面材の複数の開口部にそれぞれ嵌合させるようにしてこの面材を前記土台及び前記桁に取り付けることを特徴とする耐力壁。
【発明の詳細な説明】
【技術分野】
【０００１】
本発明は、木造家屋における土台と桁とに取り付けられる面構造体である耐力壁に関する。
【背景技術】
【０００２】
この種の面構造体は、例えば特許文献１等において、結合木片の並設される側の一方の面中央部にほぞを突出させると共に、前記一方の面に対向する他方の面中央部に前記ほぞが嵌合するほぞ溝を形成して、一の結合木片のほぞを隣に並設される他の結合木片のほぞ溝に嵌合することにより、曲面状の面構造体が提案されている。このように曲面状にしないで、平面状となるような面構造体も考えられる。
【先行技術文献】
【特許文献】
【０００３】
【特許文献１】登録実用新案第３０５０５２３号公報
【発明の概要】
【発明が解決しようとする課題】
【０００４】
しかし、前述したように、単に一の結合木片のほぞを隣に並設される他の結合木片のほぞ溝に嵌合するだけの構造では、経時変化の劣化により、変形し易く、面構造体として強度の低下を招くこととなる。
【０００５】
また、一般的な木造家屋の耐力壁は、柱を土台、桁に筋違いで固定したり、また合板などを用いて面材として表面に、釘、ビスなどで固定している。しかし、このような固定方法では、初期強度はあっても、長時間の使用には不安が残り、固定のための釘、ビスの劣化によって、強度が低下する虞がある。
【０００６】
そこで本発明は、上記問題点に鑑み、複数本連結される柱状体を利用しても、強度が高く、地震に強い耐力壁を提供することを目的とする。
【課題を解決するための手段】
【０００７】
このため本発明は、木造家屋における土台及び桁とに取り付けられる耐力壁において、木材で作製された柱状体の対向する両側面の中間位置にほぞ溝を形成すると共にこのほぞ溝を挟んで両側にほぞを形成して、一の柱状体の一方の面に形成された前記ほぞ溝に他の柱状体の他方の面に形成された一方のほぞを嵌合させ、この他の柱状体の一方の面に形成された前記ほぞ溝に次の他の柱状体の他方の面に形成された他方のほぞを嵌合させるようにして、次々に前記柱状体群を互い違いとなるように連結するようにして前記土台及び前記桁に取り付けると共に、前記柱状体群のうち室内側に交互に突出した複数本の前記柱状体が所定間隔を存して開設された面材の複数の開口部にそれぞれ嵌合させるようにしてこの面材を前記土台及び前記桁に取り付けることを特徴とする。
【発明の効果】
【０００８】
本発明は、複数本連結される柱状体を利用しても、強度が高く、地震に強い耐力壁を提供することができる。
【図面の簡単な説明】
【０００９】
【図１】柱状体の斜視図である。
【図２】７本の柱状体を結合連結した状態の平面図である。
【図３】７本の柱状体を結合連結した状態の一部破断せる室外側の側面図である。
【図４】面材の一部破断設側面図である。
【図５】土台と桁に耐力壁を取り付けた状態の室内側側面図である。
【図６】図５のＡ−Ａ横断平面図である。
【発明を実施するための形態】
【００１０】
１は面構造体である耐力壁を構成する木材で作製された柱状体で、概ね正四角柱であって、対向する両側面１Ａ、１Ｂの前後方向（図１の紙面の上下方向）における中央部には長手方向に沿ってほぞ溝２がそれぞれ形成されている。
【００１１】
前記耐力壁は地震時の横揺れや、台風時の横風などの横からくる力を支える壁であり、特に木造家屋に使用される。
【００１２】
このほぞ溝２は平面視四角形状を呈しており、その前後方向の寸法Ｌ１はこのほぞ溝２が形成されることにより残った前後の各ほぞ３Ａ、３Ｂの寸法Ｌ２Ａ、Ｌ２Ｂとほぼ同じ寸法で、このほぞ溝２の前記寸法Ｌ１は、前記柱状体１の各側面１Ａ、１Ｂの前後方向の寸法の約１／３（３分の１）であるが、ほぞ溝２内にほぞ３Ａ又は３Ｂが嵌合し易いように、ほぞ溝２の前後方向の寸法Ｌ１の方がほぞ３Ａ、３Ｂの前後方向の寸法Ｌ２Ａ、Ｌ２Ｂより僅かに長い。
【００１３】
また、前記ほぞ溝２の図１の左右方向の寸法（溝の深さ）Ｌ３は、このほぞ溝２が形成されることにより残った各ほぞ３Ａ、３Ｂの左右方向の寸法と同じ寸法である。
【００１４】
そして、複数本の前記柱状体１同志を結合連結する。即ち、一方（例えば、図１の右）の前記柱状体１の左の側面１Ｂの前記ほぞ３Ａを、他方（例えば、図１の左）の前記柱状体１の右の側面１Ａに形成された前記ほぞ溝２に嵌合させて左右の柱状体１同志を結合連結する。
【００１５】
以下、同様に、図２及び図３に示すように、次々に、前後が互い違いになるように各柱状体１を結合連結する。即ち、図１の左右の柱状体１同志を結合連結したら、次に図１の右の柱状体１の右の側面１Ａのほぞ溝２に３本目の柱状体１の左の側面１Ｂのほぞ３Ｂを嵌合させ、更にこの３本目の柱状体１の右の側面１Ａのほぞ溝２に４本目の柱状体１の左の側面１Ｂのほぞ３Ａを嵌合させるようにして、逐次各柱状体１を前後が互い違いとなるように結合連結する。
【００１６】
従って、連結した柱状体１群のうち、交互に室内側に柱状体１が突出して互い違いとなって、この柱状体１群の室内側表面が凹凸となるように連結される。なお、図２の紙面の上側が室内側であり、図３は室外側の側面図である。
【００１７】
次に、図４において、４は前記結合連結された前記柱状体１群の室内側に取り付けられる面材であり、化粧鋼鈑などのスチールやアルミニウム板、木製合板などで作製され、本実施形態では木製合板で構成する。この面材４は前記連結結合された４本の柱状体１群より少し面積が大きな平面視長方形状を呈している。
【００１８】
この面材４の中間部には、縦寸法が前記柱状体１の縦寸法より僅か長い寸法Ｌ７を有し、且つ横寸法が前記柱状体１の横寸法より僅か長い寸法Ｌ５の横幅を有する取り付け溝５が寸法Ｌ６の間隔毎に４つ開設されている。このような寸法に設定したのは、前記ほぞ溝２の前記柱状体１が嵌合し易くするためである。
そして、最左右の取り付け溝５の外側には、寸法Ｌ６の約１／２（２分の１）の横幅寸法Ｌ４の接続代４Ａがそれぞれ残されている。なお、前記柱状体１、前記取り付け溝５及び前記面材４の数や大きさ、使用する目的に合わせて、適宜な寸法が選定される。
【００１９】
次に、前記複数本の前記柱状体１群と前記面材４とを合体させて、使用する例について、説明する。先ず、図５及び図６において、木造家屋において、土台７と桁８との間に複数本の前記柱状体１を前述したように結合連結させて取り付ける。次いで、前記土台７や前記桁８より室内側に突出している４つの柱状体１群に前記面材４の取り付け溝５に嵌合させて、耐力壁を組み立てる。
【００２０】
次いで、前記土台７と前記桁８に前記面材４の上下の固定部４Ｂを釘やビスなどで固定する。以下同様に、前述したように固定された前記面材４の隣に、他の面材４を隙間なく、次々に前記柱状体１群に固定するように、配設する。
【００２１】
このようにして、木造家屋において耐力壁が取り付けられることとなる。このように互いに結合連結された前記柱状体１群及び前記面材４により構成された耐力壁は、長期間に亘って強度を保つことができると共に、各柱状体１の全ての表面を塞ぐわけではないので、木材が呼吸でき、湿度調節が自然にできる。
【００２２】
また、この耐力壁の作製に際しては、複雑な組み立てではなく、工期が短縮を図ることができて、二酸化炭素削減にもなる。なお、木材の使用量が多いため、林業の安定的な経営にも貢献することができる。
【００２３】
また、本発明の耐力壁は、室内側から見ると前記柱状体１が前記面材４より突出した凸部分が模様となり、デザインとして面白みがあると共に斬新性があって、しかもこの耐力壁に壁紙を張ったり、色彩や模様を描くことにより更にデザインとして面白みや斬新性が増すことができる。
【００２４】
なお、前述したように、耐力壁は表面を凹凸があるようにしたが、前記柱状体１群と前記面材４の室内側の面一を同じようにしてもよい。
【００２５】
以上のように、前記柱状体１群と面材４とで構成された耐力壁は、木造家屋において、強度が高く、地震に強いものとすることができる。なお、この面構造体として、床や天井に、適用してもよい。この場合、必要に応じて、室内側の面を凹凸にしても、平面としてもよい。
【００２６】
以上本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【符号の説明】
【００２７】
１            柱状体
２            ほぞ溝
３Ａ、３Ｂ    ほぞ
４            面材
５            取り付け溝
７            土台
８            桁
【図１】
2014231674.tif 000003
【図２】
2014231674.tif 000004
【図３】
2014231674.tif 000005
【図４】
2014231674.tif 000006
【図５】
2014231674.tif 000007
【図６】
2014231674.tif 000008